(57)【要約】本発明は、金属アプリケーターが具備されたチューブ容器に関するもので、本発明による金属アプリケーターが具備されたチューブ容器によれば、チューブ容器の上部に皮膚に接触する金属材質のアプリケーターが具備されることで、内容物を皮膚に塗布時、熱気または冷気を皮膚に伝達することが可能となるので、顔肌の代謝を促進させ、皮膚弾力性を向上させることができるのが特徴である。【選択図】なし
2017533154.tif 000002
【特許請求の範囲】
【請求項１】
内容物が収容され、その上部には内容物が排出されるように排出部（１１１）が具備されたチューブネック（１１０）が結合されるチューブ本体（１００）と；
前期チューブネック（１１０）の上部に結合され、前記排出部（１１１）を通じて排出される内容物が移動する通路を形成し、熱可塑性樹脂材質である支持体（２００）と；
前期支持体（２００）の上端に弾力的に押し込み型で結合され、その中央部に内容物が外部へ吐出されるように内容物吐出ホール（３１０）が形成される金属材質のアプリケーター（３００）と；および
前期支持体（２００）とアプリケーター（３００）を覆ってチューブネック（１１０）に結合され、その内側に前記内容物吐出ホール（３１０）を開閉する開閉棒（４１０）が形成されるオーバーキャップ（４００）と；を含むことを特徴とする金属アプリケーター（３００）が具備されたチューブ容器において、
前期支持体（２００）には、
支持体（２００）の内側下部で前記排出部（１１１）を覆って結合され、支持体（２００）をチューブネック（１１０）に固定させる固定部（２１０）と；
前期排出部（１１１）と連通され、前記排出部（１１１）を通じて排出される内容物が移動する通路を形成する内容物移動管（２２０）と；
前期支持体（２００）の上端から突出形成されて前記アプリケーター（３００）と結合され、前期アプリケーター（３００）が安着されるように外周面を取り囲んで安着突起（２３１）が形成される結合部（２３０）と；
前期支持体（２００）の上側から下側へ形成された中空部（２４０）と；が含まれ、
前期アプリケーター（３００）には、
前期アプリケーター（３００）の下側に、前記安着突起（２３１）が挿入されて結合される陥没結合部（３２０）と；
前期陥没結合部（３２０）の下側に、前記安着突起（２３１）がかかるように内周縁に沿って形成される結合突起（３３０）と；が含まれ、
所定の最低使用温度での前記結合部（２３１）の外径（Ｄ１）は、所定の通常使用温度での前記陥没結合部（３２０）の内径（Ｄ０）より大きいか、同じことを特徴とする金属アプリケーター（３００）が具備されたチューブ容器。
【請求項２】
前期排出部（１１１）の外周面下部には、前記支持体（２００）の結合方向をガイドすることと同時に、回転を防止するための回転防止突起（１１１ｂ）が形成されることを特徴とする請求項１に記載の金属アプリケーター（３００）が具備されたチューブ容器。
【請求項３】
前期固定部の下端には、前記回転防止突起（１１１ｂ）と結合される結合溝（２１１）が形成されることを特徴とする請求項２に記載の金属アプリケーターが具備されたチューブ容器。
【請求項４】
前期排出部（１１１）には、支持体（２００）が上方向に脱離されることを防止するように外周面を取り囲んで、固定突起（１１１ｃ）が形成され、前期固定部（２１０）の内側下部には、前記固定突起（１１１ｃ）の下端に当接する係止部（２１２）が形成されることを特徴とする請求項３に記載の金属アプリケーター（３００）が具備されたチューブ容器。
【発明の詳細な説明】
【技術分野】
【０００１】
本発明は、金属アプリケーターが具備されたチューブ容器に関するもので、より詳細には、チューブ容器の上部に皮膚に接触される金属材質のアプリケーターが具備されることにより、内容物を皮膚に塗布時、熱気または冷気が皮膚に伝達されることが可能となるので、顔肌の代謝を促進させ、皮膚弾力性を向上させることができる金属アプリケーターが具備されたチューブ容器に関する。
【背景技術】
【０００２】
一般に、チューブ容器とは内容物が収容されるチューブ本体と、前記チューブ本体の上部に結合されてチューブ本体を支持し、チューブ本体に収容された内容物が排出されるように排出部が形成されるチューブネックと、前記チューブネックに着脱可能に結合され、排出部を開閉するオーバーキャップとで構成される。
【０００３】
前期のようなチューブ容器は、チューブ本体を加圧時に、排出部を通じて内容物の排出が行われ、特許文献１の図１に図示されたように、内容物の塗布を容易にするように、内容物を吸収して外部へ排出させるブラシ（１４０）のようなアプリケーターが、チューブ上部構造体（１２０）に結合されて用いられている。
【０００４】
最近、皮膚美容に対する関心が高まり、内容物の単純吸収では満足できるほどの皮膚吸収量と美容効果を得ることがむずかしいので、肌顔肌の代謝を促進させ、皮膚弾力性を向上させることができるように、熱気または冷気を皮膚に伝達するための多様な方法が試みられており、特許文献１は、ブラシ（１４０）を通じて、単純に内容物を吸収して排出させる構造で、熱気または冷気を皮膚に伝達することは不可能な問題点があった。
【０００５】
一方、前期のような顧客のニーズを満たすために、冷却または温熱マスクパックを提供するためのマスクパック冷温装置が発売されたが、これはその構造が複雑なだけでなく、コストが高価であるため、実質的に多く用いられていない実情である。
したがって、内容物を皮膚に塗布時に、熱気または冷気を皮膚へ伝達することが可能な簡単な構造の化粧品容器が要求されている。
【０００６】
一方、内容物を皮膚に塗布時に、熱気または冷気を皮膚に伝達するためのアプリケーターは、通常、金属材質で製造されて、これを支持するための支持体は、通常、熱可塑性樹脂で製造され、金属と熱可塑性樹脂の温度変化による変形率に大きい差異があるので、温度変化によって、その結合が緩んだり、脱離され、発生した空隙を通じて内容物が漏出されることができるという問題点があった。
【先行技術文献】
【特許文献】
【０００７】
【特許文献１】韓国登録特許第１０−１０５７３３３
【発明の概要】
【発明が解決しようとする課題】
【０００８】
本発明は、上述した問題点を解決しようと案出されたもので、本発明の目的は、チューブ容器の上部に皮膚へ接触する金属製のアプリケーターが具備されることにより、内容物を皮膚に塗布時、熱気または冷気を皮膚へ伝達することが可能となるので、顔肌の代謝を促進させ、皮膚弾力性を向上させることができる金属アプリケーターが具備されたチューブ容器を提供することである。
【０００９】
また、金属材質のアプリケーターをＮＣ加工を通じて、支持体の上部に着脱可能な円形状で製造することにより、アプリケーターを成形するための別途の金型が存在しなくてもよいので、製造コストを節減することができるだけでなく、迅速に大量生産が可能な金属アプリケーターが具備されたチューブ容器に関するものである。
【００１０】
一方、温度変化による金属アプリケーターと熱可塑性樹脂である支持体の大きさ変化の差異にもかかわらず、アプリケーターと支持体の堅固な結合が可能なようにすることをその課題とする。
【課題を解決するための手段】
【００１１】
前期のような問題点を解決するために、本発明による金属アプリケーターが具備されたチューブ容器は、内容物が収容され、その上部には内容物が排出されるように、排出部（１１１）が具備されたチューブネック（１１０）が結合されるチューブ本体（１００）と；前記チューブネック（１１０）の上部に結合され、前記排出部（１１１）を通じて排出される内容物が移動する通路を形成し、熱可塑性樹脂材質である支持体（２００）と；前記支持体（２００）の上端に弾力的に押し込み型で結合され、その中央部に内容物が外部へ吐出されるように内容物吐出ホール（３１０）が形成される金属材質のアプリケーター（３００）と；および前記支持体（２００）およびアプリケーター（３００）を覆ってチューブネック（１１０）に結合され、その内側に前記内容物吐出ホール（３１０）を開閉する開閉棒（４１０）が形成されるオーバーキャップ（４００）と；を含むことを特徴とする。
【００１２】
また、前期支持体（２００）は、支持体（２００）の内側下部で前記排出部（１１１）を覆って結合され、支持体（２００）をチューブネック（１１０）に固定させる固定部（２１０）と；前記排出部（１１１）と連通して前記排出部（１１１）を通じて排出される内容物が移動する通路を形成する内容物移動管（２２０）と；前記支持体（２００）の上端から突出形成されて、前記アプリケーター（３００）と結合され、前期アプリケーター（３００）が安着されるように外周面を取り囲んで安着突起（２３１）が形成される結合部（２３０）と；前記支持体（２００）の上側から下側へ形成された中空部（２４０）と；を含むことを特徴とする。
【００１３】
また、前期アプリケーター（３００）は、前期アプリケーター（３００）の下側に、前記安着突起（２３１）が挿入され、結合される陥没結合部（３２０）と；前記陥没結合部（３２０）の下側に、前記安着突起（２３１）がかかるように内周縁に沿って形成される結合突起（３３０）と；を含むことを特徴とする。
【００１４】
また、所定の最低使用温度での前記結合部（２３１）の外径（Ｄ１）は、所定の通常使用温度での前記陥没結合部（３２０）の内径（Ｄ０）より大きいか、同じことを特徴とする。
【００１５】
また、前期排出部（１１１）の外周面下部には、前記支持体（２００）の結合方向をガイドすることと同時に、回転を防止するための回転防止突起（１１１ｂ）が形成されることを特徴とする。
【００１６】
また、前期固定部の下端には、前記回転防止突起（１１１ｂ）と結合される結合溝（２１１）が形成されることを特徴とする。
【００１７】
また、前期排出部（１１１）には、支持体（２００）が上方向に脱離されることを防止するように外周面を取り囲んで固定突起（１１１ｃ）が形成され、前期固定部（２１０）の内側下部には、前記固定突起（１１１ｃ）の下端に当接する係止部（２１２）が形成されることを特徴とする。
【発明の効果】
【００１８】
以上のように、本発明によれば、チューブ容器の上部に皮膚に接触される金属材質のアプリケーターが具備されることにより、内容物を皮膚に塗布時、熱気または冷気を皮膚に伝達することが可能となり、顔肌の代謝を促進させ、皮膚弾力性を向上させることができる長所がある。
【００１９】
また、金属材質のアプリケーターをＮＣ加工を通じて、支持体の上部に着脱可能な円形状で製造することにより、アプリケーターを成形するための別途の金型が存在しなくても良いので、製造コストを節減できるだけでなく、迅速な大量生産が可能であるという長所がある。
【００２０】
これに加えて、中空部による弾力的の押し込み型で結合された金属製のアプリケーターと支持体において、使用時、必然的に発生する温度変化による金属アプリケーターと熱可塑性樹脂である支持体の大きさ変化の差異にもかかわらず、金属アプリケーターと支持体の堅固な結合が可能であるという長所がある。
【図面の簡単な説明】
【００２１】
【図１】本発明の好ましい実施例に係る金属アプリケーターが具備されたチューブ容器の構成を示す分解斜視図である。
【図２】本発明の好ましい実施例に係る金属アプリケーターが具備されたチューブ容器の構成を示す結合斜視図である。
【図３】本発明の好ましい実施例に係る金属アプリケーターが具備されたチューブ容器の構成を示す断面図である。
【図４】本発明の好ましい実施例に係る金属アプリケーターが具備されたチューブ容器の構成を示す断面図である。
【図５】本発明の好ましい実施例に係る金属アプリケーターが具備されたチューブ容器の排出部と支持体の結合状態を示す説明図である。
【図６】本発明の好ましい実施例に係る金属アプリケーターが具備されたチューブ容器のアプリケーターと支持体の大きさ構成を示す説明図である。
【発明を実施するための形態】
【００２２】
以下、図面を参照して、本発明を詳細に説明する。各図面に提示された同一な参照符号は同一な部材を示す。
【００２３】
図１は、本発明の好ましい実施例に係る金属アプリケーターが具備されたチューブ容器の構成を示す分解斜視図であり、図２は、本発明の好ましい実施例に係る金属アプリケーターが具備されたチューブ容器の構成を示す結合斜視図である。
【００２４】
図３及び４は、本発明の好ましい実施例に係る金属アプリケーターが具備されたチューブ容器の構成を示す断面図であり、図５は、本発明の好ましい実施例に係る金属アプリケーターが具備されたチューブ容器の排出部と支持体の結合状態を示す説明図である。
【００２５】
図６は、本発明の好ましい実施例に係る金属アプリケーターが具備されたチューブ容器のアプリケーターと支持体の大きさ構成を示す説明図である。
【００２６】
図１〜６を参照すると、本発明の好ましい実施例に係る金属アプリケーターが具備されたチューブ容器は、チューブ本体（１００）、支持体（２００）、アプリケーター（３００）、オーバーキャップ（４００）が含まれる。
【００２７】
前期チューブ本体（１００）は、内容物が収容されるもので、その上部には内容物が排出されるように排出部（１１１）が具備されたチューブネック（１１０）が結合され、前記排出部（１１１）の中央部には、チューブ本体（１００）に収容された内容物が排出される排出ホール（１１１ａ）が形成される。
【００２８】
本発明において、前記排出部（１１１）の外周面下部には、後述する支持体（２００）の回転を防止するための回転防止突起（１１１ｂ）が形成されることが特徴で、前期回転防止突起（１１１ｂ）は、支持体（２００）の結合溝（２１１）と結合され、支持体（２００）が回転することを防止することと同時に、支持体（２００）を排出部（１１１）へ結合時に結合方向をガイドする。
【００２９】
一方、前記排出部（１１１）には、支持体（２００）が結合された後、上方向に脱離されることを防止するように外周面を取り囲んで、固定突起（１１１ｃ）が形成されることが好ましい。
【００３０】
前期支持体（２００）は、熱可塑性樹脂材質であり、前期チューブネック（１１０）の上部に結合されてアプリケーター（３００）を支持し、前期排出部（１１１）を通じて排出される内容物が移動する通路を形成するもので、固定部（２１０）、内容物移動管（２２０）、結合部（２３０）と中空部（２４０）を含んでいる。
【００３１】
前期固定部（２１０）は、支持体（２００）の内側下部で前記排出部（１１１）を覆って結合され、支持体（２００）をチューブネック（１１０）に固定させることで、その下端には、前記回転防止突起（１１１ｂ）と結合され、支持体（２００）の回転を防止するように結合溝（２１１）が形成される。
【００３２】
また、前期固定部（２１０）の内側下部には、排出部（１１１）に結合された状態で、前記固定突起（１１１ｃ）の下端に当接し、支持体（２００）が上方向へ移動することを防止するように係止部（２１２）が形成される。
【００３３】
前期内容移動管（２２０）は、前記排出部（１１１）と連通して前記排出部（１１１）を通じて排出される内容物が上部へ移動することができるように長さ方向で通路が形成される。
【００３４】
前記結合部（２３０）は、前記支持体（２００）の上端から突出形成され、アプリケーター（３００）と結合されて、アプリケーター（３００）を支持することで、アプリケーター（３００）が安着されることが可能なように外周面を取り囲んで安着突起（２３１）が形成される。
【００３５】
前期安着突起（２３１）は、アプリケーター（３００）の脱着が可能なように緩やかな曲面を形成することが好ましい。
【００３６】
一方、前記支持体（２００）は、中央部がくびれた砂時計のような形状で形成され、その上端部が一側から他側へ傾斜面を形成するように構成され、アプリケーター（３００）が斜めに位置するようにすることで、美的な効果を提供することとなる。
【００３７】
また、図３及び図４に示すように、前期支持体（２００）の上側から下側へ中空部（２４０）がさらに形成されるようして、弾力的に押し込み型で結合時、前期支持体（２００）がより効果的に押さえられて収縮されることが可能なようにすることはもちろん、前期アプリケーター（３００）と、前記支持体（２００）の温度差異および温度変化による体積変化の差異を弾性によって効果的に相殺するようにして、温度変化と温度差にもかかわらず、常に前期アプリケーター（３００）と前記支持体（２００）が互いに接触して、堅固に結合された状態を維持できるようにすることが好ましい。
【００３８】
前期アプリケーター（３００）は、前記支持体（２００）の上端で結合部（２３０）に着脱可能なように結合されるもので、その中央部には、前記内容物移動管（２２０）を通じて移動する内容物が外部へ吐出されることができるように内容物吐出ホール（３１０）が形成される。
【００３９】
本発明において、前記アプリケーター（３００）は、金属材質で構成されることが特徴で、これにより、内容物を皮膚に塗布時、冷気または温気を皮膚へ伝達することが可能となり、顔肌の代謝を促進させ、皮膚弾力を向上させることができるようになる。
【００４０】
また、前期アプリケーター（３００）は、内容物吐出ホール（３１０）を中心に、左右対称に構成される円形状に形成されることが特徴で、これにより、ＮＣ加工を通じて簡単に大量生産が可能となり、別途の金型が必要なくなって、製造コストを節減できるようになる。
【００４１】
また、前期アプリケーター（３００）は、ＮＣ加工を通じて円形状に製造されることで、アプリケーター（３００）の研磨、メッキなどの後加工処理時、後加工に要する時間を短縮させることができるだけでなく、後加工コストを節減することが可能である。
【００４２】
一方、前記支持体（２００）は、熱可塑性樹脂材質であり、前記アプリケーター（３００）は、金属材質で構成されることが特徴である。この場合、通常の冷却または加温された後、皮膚に前記アプリケーター（３００）を接触させて使用する本発明の特性によって、前記支持体（２００）と前記アプリケーター（３００）は、温度変化が反復的に発生する環境で使用される特徴を持っている。
【００４３】
この場合、金属と熱可塑性樹脂の温度変化による大きさ変化の程度が異なる。つまり、金属の熱膨張成形係数は、約５〜２５（単位：×０．０００００１／℃）の範囲を持つ一方、（真鍮：１８．７／銅：１８．０／鋳鉄：１０．８／アルミ：２２．２／ステンレス：１４．４〜１７．３）、熱可塑性樹脂は、２次的分子間の結合が弱くて最小の交差結合を持つため、熱可塑性樹脂（ポリマー）の熱膨張成形係数は、約５０〜６００（単位：×０．０００００１／℃）の範囲（ポリプロピレン：１００〜２００／ポリエチレン：２００／ポリスチレン（ＰＳ）：７０）を持っている。つまり、同じ温度変化である場合、熱可塑性樹脂の大きさ変化が金属の場合よりも非常に大きく現れ、その大きさ変化に差異が発生するしかない。
【００４４】
したがって、異種材料で構成された前記支持体（２００）と前記アプリケーター（３００）の間の結合構造が弱くなったり、脱離される現象はもちろん、空隙が発生し、内容物の流出など好ましくない問題点が発生するので、これを防止するため、図６に示すように、所定の最低使用温度での前記結合部（２３１）の外径（Ｄ１）は、所定の通常使用温度における前記陥没結合部（３２０）の内径（Ｄ０）よりも大きいか、同じようにすることが好ましい。
【００４５】
つまり、前述のように、温度が上昇する場合には、前記アプリケーター（３００）に比べて、支持体（２００）の温度変化による大きさ増加がより大きいので（つまり、温度が上昇する変化によって前記陥没結合部（３２０）の内径（Ｄ０）より前記結合部（２３１）の外径（Ｄ１）がより大きくなる場合）、前記中空部（３４０）によって体積変化の差異を弾性によって効果的に相殺するようにし、温度変化および温度差異にもかかわらず、常に前期アプリケーター（３００）と、前記支持体（２００）が互いに接触して堅固に結合された状態を維持できるようになる。
【００４６】
一方、温度が下降する場合（例えば、本発明には、前期アプリケーター（３００）の大きさの縮小幅よりも前期支持体（２００）の大きさの縮小幅がはるかに大きくなり、別の構成を持たない。
【００４７】
場合、前記支持体（２００）と前記アプリケーター（３００）の間に空間が発生するしかなく、結合構造が弱くなったり、脱離される現象が発生する。
【００４８】
また、ユーザーの皮膚に前期アプリケーター（３００）を接触して使用する場合、熱伝導率が高い前期アプリケーター（３００）は、比較的速い速度で、ユーザーの皮膚体温（これを「所定の通常使用温度」として使用する。）に接近し、その大きさが早く増加するのに対し、熱伝導率が低い前期支持体（２００）の温度上昇は、これに及ばないので、その大きさの増加もともに遅延されて前記支持体（２００）と前記アプリケーター（３００）の間に空間が発生するしかなく、結合構造が弱くなったり、脱離する現象が発生する。
【００４９】
これらの問題点は、図６に示すように、所定の最低使用温度（通常、内容物が凝結されるなどの変質が、発生しない冷却保管温度がこれに該当する）での前記結合部（２３１）の外径（Ｄ１）は、所定の通常使用温度での前記陥没結合部（３２０）の内径（Ｄ０）よりも大きいか、同じようにして解決できるようになる。ここで、前記結合部（２３１）の外径（Ｄ１）及び前記陥没結合部（３２０）の内径（Ｄ０）は、互いに結合されず、それぞれ分離された状態で測定された値を基準とする。
【００５０】
つまり、前期所定の最低使用温度で保管される場合の前記結合部（２３１）の外径（Ｄ１）は、所定の通常使用温度での前記陥没結合部（３２０）の内径（Ｄ０）よりも大きいか、同じように構成されるため、同一な前記所定の最低使用温度での、前記陥没結合部（３２０）の内径（Ｄ０）よりは常に大きい値を持つこととなる。
【００５１】
一方、使用過程で、前記アプリケーター（３００）が、比較的速い速度で所定の前期通常使用温度まで上昇し、前期支持体（２００）は、まだ所定の前期最低使用温度にとどまっている場合にも、前記結合部（２３１）の外径（Ｄ１）は、前記陥没結合部（３２０）の内径（Ｄ０）よりも大きいか、少なくとも同じ値を持つこととなる。
【００５２】
以後、前期アプリケーター（３００）と、前記支持体（２００）の両方が、所定の前期通常使用温度まで上がることとなると、再び前記結合部（２３１）の外径（Ｄ１）は、前記陥没結合部（３２０）の内径（Ｄ０）より、常に大きな値を持つこととなる。
【００５３】
したがって、どのような温度変化過程でも前記結合部（２３１）の外径（Ｄ１）は、前記陥没結合部（３２０）の内径（Ｄ０）より大きいか、少なくとも同じ値を持つようになるので、前期支持体（２００）とアプリケーター（３００）の間に空間が発生することを防止し、結合構造が弱くなったり、脱離する現象と内容物漏出を根本的に防止できるようになる。
【００５４】
一方、前記結合部（２３１）の外径（Ｄ１）が、前記陥没結合部（３２０）の内径（Ｄ０）より常に大きいか、同じ特性（前期支持体（２００）と前記アプリケーター（３００）が互いに分離されている場合を基準とすることは、前述したことと同様である。）を持つ場合、前期支持体（２００）と前記アプリケータ（３００）が、図３または図４に示すように、互いに結合された状態では、前記中空部（２４０）によって、前期支持体（２００）が効率的に弾性変形されるので、前記結合部（２３１）の外径（Ｄ１）が、前記陥没結合部（３２０）の内径（Ｄ０）にうまく合うように弾性変形され、結果的に、前期支持体（２００）と前期アプリケーター（３００）が堅固に結合されている状態を維持できるようになる。
【００５５】
前期オーバーキャップ（４００）は、前記支持体（２００）およびアプリケーター（３００）を覆ってチューブネック（１１０）に結合されるもので、その内側上端には、下方向へ突出形成され、前記内容物吐出ホール（３１０）を開閉することが可能なように開閉棒（４１０）が形成される。
【００５６】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を持つ者であれば、多様な変形及び均等な他の実施例が可能であることを理解すべきである。したがって、本発明の真の技術的保護範囲は、添付された特許請求の範囲の技術的思想によって定められるべきである。
【図１】
2017533154.tif 000003
【図２】
2017533154.tif 000004
【図３】
2017533154.tif 000005
【図４】
2017533154.tif 000006
【図５】
2017533154.tif 000007
【図６】
2017533154.tif 000008
【国際調査報告】
2017533154.tif 000009
2017533154.tif 000010
2017533154.tif 000011
2017533154.tif 000012